(57)【特許請求の範囲】
【請求項１】
空気調和装置(2) と、除湿装置(4) と、該空気調和装置(2) 及び除湿装置(4) の運転を制御する制御手段(12)とを備えた空気調和システムであって、
人の発汗状態を検出する発汗センサ(70)を備え、
上記制御手段(12)は、発汗センサ(70)により検出した発汗状態が所定状態を越えていると空気調和装置(2) を運転して除湿装置(4) を停止し、所定状態に達していないと空気調和装置(2) を停止して除湿装置(4) を運転するように構成され、
発汗センサ(70)は、
人体(25)に照射されて反射された反射光(L2)のうち水分に吸収されやすい第１の所定波長域の光(L21)のみを受光する第１受光部(77a)と、該反射光(L2)のうち水分に吸収されにくい第２の所定波長域の光(L22)を受光する第２受光部(77b)とを有する受光手段(72)と、
該第１受光部(77a)に入力された第１入力(Iaq)と該第２受光部(77b)に入力された第２入力(Iref)との比率(P)に基づいて発汗状態を検出する検出手段(73)とを備え、
第２受光部(77b)の第２入力(Iref)が最大になるように受光手段(72)の位置を調節し該位置で発汗センサ(70)の検出手段(73)に発汗状態を検出させる位置調節手段(36)を備えている空気調和システム。
【請求項２】
空気調和装置(2) と、除湿装置(4) と、該空気調和装置(2) 及び除湿装置(4) の運転を制御する制御手段(12)とを備えた空気調和システムであって、
人の発汗状態を検出する発汗センサ(70)を備え、
上記制御手段(12)は、発汗センサ(70)により検出した発汗状態が第１の所定状態を越えていると空気調和装置(2) を運転して除湿装置(4) を停止し、第１の所定状態とそれよりも小さな第２の所定状態の間で空気調和装置(2) を停止して除湿装置(4) を運転し、第２の所定状態に達していないと空気調和装置(2) 及び除湿装置(4) を停止するように構成され、
発汗センサ(70)は、
人体(25)に照射されて反射された反射光(L2)のうち水分に吸収されやすい第１の所定波長域の光(L21)のみを受光する第１受光部(77a)と、該反射光(L2)のうち水分に吸収されにくい第２の所定波長域の光(L22)を受光する第２受光部(77b)とを有する受光手段(72)と、
該第１受光部(77a)に入力された第１入力(Iaq)と該第２受光部(77b)に入力された第２入力(Iref)との比率(P)に基づいて発汗状態を検出する検出手段(73)とを備え、
第２受光部(77b)の第２入力(Iref)が最大になるように受光手段(72)の位置を調節し該位置で発汗センサ(70)の検出手段(73)に発汗状態を検出させる位置調節手段(36)を備えている空気調和システム。
【請求項３】
少なくとも冷房運転が可能に構成された空気調和装置(2)と、
人の発汗状態を検出する発汗センサ(70)と、
該発汗センサ(70)により検出した発汗状態が所定状態を越えていると該空気調和装置(2)に冷房運転を実行させる一方、所定状態に達していないと該冷房運転を停止させる制御手段(12)とを備え、
発汗センサ(70)は、
人体(25)に照射されて反射された反射光(L2)のうち水分に吸収されやすい第１の所定波長域の光(L21)のみを受光する第１受光部(77a)と、該反射光(L2)のうち水分に吸収されにくい第２の所定波長域の光(L22)を受光する第２受光部(77b)とを有する受光手段(72)と、
該第１受光部(77a)に入力された第１入力(Iaq)と該第２受光部(77b)に入力された第２入力(Iref)との比率(P)に基づいて発汗状態を検出する検出手段(73)とを備え、
第２受光部(77b)の第２入力(Iref)が最大になるように受光手段(72)の位置を調節し該位置で発汗センサ(70)の検出手段(73)に発汗状態を検出させる位置調節手段(36)を備えている空気調和システム。
【請求項４】
少なくとも冷房運転と除湿運転とが可能に構成された空気調和装置(2)と、
人の発汗状態を検出する発汗センサ(70)と、
該発汗センサ(70)により検出した発汗状態が所定状態を越えていると該空気調和装置(2)に冷房運転を実行させる一方、所定状態に達していないと該空気調和装置(2)に除湿運転を実行させる制御手段(12)とを備え、
発汗センサ(70)は、
人体(25)に照射されて反射された反射光(L2)のうち水分に吸収されやすい第１の所定波長域の光(L21)のみを受光する第１受光部(77a)と、該反射光(L2)のうち水分に吸収されにくい第２の所定波長域の光(L22)を受光する第２受光部(77b)とを有する受光手段(72)と、
該第１受光部(77a)に入力された第１入力(Iaq)と該第２受光部(77b)に入力された第２入力(Iref)との比率(P)に基づいて発汗状態を検出する検出手段(73)とを備え、
第２受光部(77b)の第２入力(Iref)が最大になるように受光手段(72)の位置を調節し該位置で発汗センサ(70)の検出手段(73)に発汗状態を検出させる位置調節手段(36)を備えている空気調和システム。
【請求項５】
少なくとも冷房運転と除湿運転とが可能に構成された空気調和装置(2)と、
人の発汗状態を検出する発汗センサ(70)と、
該発汗センサ(70)により検出した発汗状態が第１の所定状態を越えていると該空気調和装置(2)に冷房運転を実行させ、該発汗状態が第１の所定状態とそれよりも小さな第２の所定状態との間にあると該空気調和装置(2)に除湿運転を実行させ、該発汗状態が第２の所定状態に達していないと該空気調和装置(2)の運転を停止させる制御手段(12)とを備え、
発汗センサ(70)は、
人体(25)に照射されて反射された反射光(L2)のうち水分に吸収されやすい第１の所定波長域の光(L21)のみを受光する第１受光部(77a)と、該反射光(L2)のうち水分に吸収されにくい第２の所定波長域の光(L22)を受光する第２受光部(77b)とを有する受光手段(72)と、
該第１受光部(77a)に入力された第１入力(Iaq)と該第２受光部(77b)に入力された第２入力(Iref)との比率(P)に基づいて発汗状態を検出する検出手段(73)とを備え、
第２受光部(77b)の第２入力(Iref)が最大になるように受光手段(72)の位置を調節し該位置で発汗センサ(70)の検出手段(73)に発汗状態を検出させる位置調節手段(36)を備えている空気調和システム。
【請求項６】
空気調和装置(2) と、除湿装置(4) と、該空気調和装置(2) 及び除湿装置(4) の運転を制御する制御手段(12)とを備えた空気調和システムであって、
人の発汗状態を検出する発汗センサ(70b)を備え、
上記制御手段(12)は、発汗センサ(70b)により検出した発汗状態が所定状態を越えていると空気調和装置(2) を運転して除湿装置(4) を停止し、所定状態に達していないと空気調和装置(2) を停止して除湿装置(4) を運転するように構成され、
発汗センサ(70b)は、
人体(25)に照射された光のうち該人体(25)に反射された反射光(L2)を受ける受光手段(77)と、
水分に吸収されやすい第１の所定波長域の光のみを透過させる第１透過フィルタ(75)と、
水分に吸収されにくい第２の所定波長域の光を透過させる第２透過フィルタ(76)と、
人体(25)からの反射光を該第１透過フィルタ(75)及び該第２透過フィルタ(76)に交互に透過させて該受光手段(77)に供給するフィルタ切替手段(79)と、
該第１透過フィルタ(75)を透過して該受光手段(77)に入力された第１入力(Iaq)と、該第２透過フィルタ(76)を透過して該受光手段(77)に入力された第２入力(Iref)との比率(P)に基づいて発汗状態を検出する検出手段(73)とを備え、
第２透過フィルタ(76)を透過して受光手段(77)に入力された第２入力(Iref)が最大になるように受光手段(77)の位置を調節し該位置で発汗センサ(70b)の検出手段(73)に発汗状態を検出させる位置調節手段(36)を備えている空気調和システム。
【請求項７】
空気調和装置(2) と、除湿装置(4) と、該空気調和装置(2) 及び除湿装置(4) の運転を制御する制御手段(12)とを備えた空気調和システムであって、
人の発汗状態を検出する発汗センサ(70b)を備え、
上記制御手段(12)は、発汗センサ(70b)により検出した発汗状態が第１の所定状態を越えていると空気調和装置(2) を運転して除湿装置(4) を停止し、第１の所定状態とそれよりも小さな第２の所定状態の間で空気調和装置(2) を停止して除湿装置(4) を運転し、第２の所定状態に達していないと空気調和装置(2) 及び除湿装置(4) を停止するように構成され、
発汗センサ(70b)は、
人体(25)に照射された光のうち該人体(25)に反射された反射光(L2)を受ける受光手段(77)と、
水分に吸収されやすい第１の所定波長域の光のみを透過させる第１透過フィルタ(75)と、
水分に吸収されにくい第２の所定波長域の光を透過させる第２透過フィルタ(76)と、
人体(25)からの反射光を該第１透過フィルタ(75)及び該第２透過フィルタ(76)に交互に透過させて該受光手段(77)に供給するフィルタ切替手段(79)と、
該第１透過フィルタ(75)を透過して該受光手段(77)に入力された第１入力(Iaq)と、該第２透過フィルタ(76)を透過して該受光手段(77)に入力された第２入力(Iref)との比率(P)に基づいて発汗状態を検出する検出手段(73)とを備え、
第２透過フィルタ(76)を透過して受光手段(77)に入力された第２入力(Iref)が最大になるように受光手段(77)の位置を調節し該位置で発汗センサ(70b)の検出手段(73)に発汗状態を検出させる位置調節手段(36)を備えている空気調和システム。
【請求項８】
少なくとも冷房運転が可能に構成された空気調和装置(2)と、
人の発汗状態を検出する発汗センサ(70b)と、
該発汗センサ(70b)により検出した発汗状態が所定状態を越えていると該空気調和装置(2)に冷房運転を実行させる一方、所定状態に達していないと該冷房運転を停止させる制御手段(12)とを備え、
発汗センサ(70b)は、
人体(25)に照射された光のうち該人体(25)に反射された反射光(L2)を受ける受光手段(77)と、
水分に吸収されやすい第１の所定波長域の光のみを透過させる第１透過フィルタ(75)と、
水分に吸収されにくい第２の所定波長域の光を透過させる第２透過フィルタ(76)と、
人体(25)からの反射光を該第１透過フィルタ(75)及び該第２透過フィルタ(76)に交互に透過させて該受光手段(77)に供給するフィルタ切替手段(79)と、
該第１透過フィルタ(75)を透過して該受光手段(77)に入力された第１入力(Iaq)と、該第２透過フィルタ(76)を透過して該受光手段(77)に入力された第２入力(Iref)との比率(P)に基づいて発汗状態を検出する検出手段(73)とを備え、
第２透過フィルタ(76)を透過して受光手段(77)に入力された第２入力(Iref)が最大になるように受光手段(77)の位置を調節し該位置で発汗センサ(70b)の検出手段(73)に発汗状態を検出させる位置調節手段(36)を備えている空気調和システム。
【請求項９】
少なくとも冷房運転と除湿運転とが可能に構成された空気調和装置(2)と、
人の発汗状態を検出する発汗センサ(70b)と、
該発汗センサ(70b)により検出した発汗状態が所定状態を越えていると該空気調和装置(2)に冷房運転を実行させる一方、所定状態に達していないと該空気調和装置(2)に除湿運転を実行させる制御手段(12)とを備え、
発汗センサ(70b)は、
人体(25)に照射された光のうち該人体(25)に反射された反射光(L2)を受ける受光手段(77)と、
水分に吸収されやすい第１の所定波長域の光のみを透過させる第１透過フィルタ(75)と、
水分に吸収されにくい第２の所定波長域の光を透過させる第２透過フィルタ(76)と、
人体(25)からの反射光を該第１透過フィルタ(75)及び該第２透過フィルタ(76)に交互に透過させて該受光手段(77)に供給するフィルタ切替手段(79)と、
該第１透過フィルタ(75)を透過して該受光手段(77)に入力された第１入力(Iaq)と、該第２透過フィルタ(76)を透過して該受光手段(77)に入力された第２入力(Iref)との比率(P)に基づいて発汗状態を検出する検出手段(73)とを備え、
第２透過フィルタ(76)を透過して受光手段(77)に入力された第２入力(Iref)が最大になるように受光手段(77)の位置を調節し該位置で発汗センサ(70b)の検出手段(73)に発汗状態を検出させる位置調節手段(36)を備えている空気調和システム。
【請求項１０】
少なくとも冷房運転と除湿運転とが可能に構成された空気調和装置(2)と、
人の発汗状態を検出する発汗センサ(70b)と、
該発汗センサ(70b)により検出した発汗状態が第１の所定状態を越えていると該空気調和装置(2)に冷房運転を実行させ、該発汗状態が第１の所定状態とそれよりも小さな第２の所定状態との間にあると該空気調和装置(2)に除湿運転を実行させ、該発汗状態が第２の所定状態に達していないと該空気調和装置(2)の運転を停止させる制御手段(12)とを備え、
発汗センサ(70b)は、
人体(25)に照射された光のうち該人体(25)に反射された反射光(L2)を受ける受光手段(77)と、
水分に吸収されやすい第１の所定波長域の光のみを透過させる第１透過フィルタ(75)と、
水分に吸収されにくい第２の所定波長域の光を透過させる第２透過フィルタ(76)と、
人体(25)からの反射光を該第１透過フィルタ(75)及び該第２透過フィルタ(76)に交互に透過させて該受光手段(77)に供給するフィルタ切替手段(79)と、
該第１透過フィルタ(75)を透過して該受光手段(77)に入力された第１入力(Iaq)と、該第２透過フィルタ(76)を透過して該受光手段(77)に入力された第２入力(Iref)との比率(P)に基づいて発汗状態を検出する検出手段(73)とを備え、
第２透過フィルタ(76)を透過して受光手段(77)に入力された第２入力(Iref)が最大になるように受光手段(77)の位置を調節し該位置で発汗センサ(70b)の検出手段(73)に発汗状態を検出させる位置調節手段(36)を備えている空気調和システム。
【請求項１１】
請求項１〜１０のいずれか一つに記載の空気調和システムであって、
水分に吸収されやすい第１の所定波長域は、１μｍ〜２μｍの波長域に設定されている空気調和システム。
【発明の詳細な説明】
【０００１】
【発明の属する技術分野】
本発明は、空気調和システムに関し、特に、在室者の発汗状態に応じた運転制御に係るものである。
【０００２】
【従来の技術】
従来より、空気調和装置の運転制御は、一般に個々のユーザが自分の好みや体調に応じて室内温度などの設定値を定め、この設定値を目標値として吹出し温度や風量を調節するようにして行われている。つまり、従来の空気調和装置では、温熱環境要素である室内温度を運転制御の基準として用いている。
【０００３】
一方、快適な室内環境の得られる設定値は、状況によって変化するものであり、例えば人が睡眠する夜間と起きている日中とでは異なるのは勿論、同じ日中であっても、例えば夏期の暑い日に帰宅した直後と数時間を経た後とでは異なるものである。
【０００４】
また、睡眠時に空調運転を行う場合には、入床時の室内温度を相対的に低くし、睡眠後は室内温度を相対的に高くするのが好ましいことが分かっているが、この場合にはユーザが設定値を調節することはできないので、予め定められた運転制御プログラムに基づいて運転中の設定値を変化させるようにすることが行われている。
【０００５】
【発明が解決しようとする課題】
しかし、以上のようにして運転中に設定値を変化させたところで、その運転制御は、人体の生理的な変化に対応するものとはならない。空気調和装置は、本来、ユーザの快適性を高め、健康状態を維持するのに寄与すべきものであるが、単に温熱環境要素を調節するだけでは必ずしも最適の運転状態とはならないことが多く、人体の生理的な変化に対応するのは困難である。
【０００６】
本発明は、このような観点から創案されたものであり、その目的とするところは、人体の生理的な変化に対応できる空調運転を行えるようにして、ユーザの快適性向上や健康維持に寄与できるようにすることである。
【０００７】
【課題を解決するための手段】
本発明は、人の発汗量を検出し、その発汗量に応じて、冷房運転と運転停止、あるいは冷房運転と除湿運転を切り換えるようにしたものである。
【０００８】
本発明が講じた第１の解決手段は、空気調和装置(2) と、除湿装置(4) と、該空気調和装置(2) 及び除湿装置(4) の運転を制御する制御手段(12)とを備えた空気調和システムであって、人の発汗状態を検出する発汗センサ(70)を備え、上記制御手段(12)は、発汗センサ(70)により検出した発汗状態が所定状態を越えていると空気調和装置(2) を運転して除湿装置(4) を停止し、所定状態に達していないと空気調和装置(2) を停止して除湿装置(4) を運転するように構成されていることとしたものである。
【０００９】
本発明が講じた第２の解決手段は、空気調和装置(2) と、除湿装置(4) と、該空気調和装置(2) 及び除湿装置(4) の運転を制御する制御手段(12)とを備えた空気調和システムであって、人の発汗状態を検出する発汗センサ(70)を備え、上記制御手段(12)は、発汗センサ(70)により検出した発汗状態が第１の所定状態を越えていると空気調和装置(2) を運転して除湿装置(4) を停止し、第１の所定状態とそれよりも小さな第２の所定状態の間で空気調和装置(2) を停止して除湿装置(4) を運転し、第２の所定状態に達していないと空気調和装置(2) 及び除湿装置(4) を停止するように構成されていることとしたものである。
【００１０】
本発明が講じた第３の解決手段は、少なくとも冷房運転が可能に構成された空気調和装置(2)と、人の発汗状態を検出する発汗センサ(70)と、該発汗センサ(70)により検出した発汗状態が所定状態を越えていると該空気調和装置(2)に冷房運転を実行させる一方、所定状態に達していないと該冷房運転を停止させる制御手段(12)とを備えていることとしたものである。
【００１１】
本発明が講じた第４の解決手段は、少なくとも冷房運転と除湿運転とが可能に構成された空気調和装置(2)と、人の発汗状態を検出する発汗センサ(70)と、該発汗センサ(70)により検出した発汗状態が所定状態を越えていると該空気調和装置(2)に冷房運転を実行させる一方、所定状態に達していないと該空気調和装置(2)に除湿運転を実行させる制御手段(12)とを備えていることとしたものである。
【００１２】
本発明が講じた第５の解決手段は、少なくとも冷房運転と除湿運転とが可能に構成された空気調和装置(2)と、人の発汗状態を検出する発汗センサ(70)と、該発汗センサ(70)により検出した発汗状態が第１の所定状態を越えていると該空気調和装置(2)に冷房運転を実行させ、該発汗状態が第１の所定状態とそれよりも小さな第２の所定状態との間にあると該空気調和装置(2)に除湿運転を実行させ、該発汗状態が第２の所定状態に達していないと該空気調和装置(2)の運転を停止させる制御手段(12)とを備えていることとしたものである。
【００１３】
そして、本発明が講じた第１〜第５の解決手段は、さらに、発汗センサ(70)が、人体(25)に照射されて反射された反射光(L2)のうち水分に吸収されやすい第１の所定波長域の光(L21)のみを受光する第１受光部(77a)と、該反射光(L2)のうち水分に吸収されにくい第２の所定波長域の光(L22)を受光する第２受光部(77b)とを有する受光手段(72)と、該第１受光部(77a)に入力された第１入力(Iaq)と該第２受光部(77b)に入力された第２入力(Iref)との比率(P)に基づいて発汗状態を検出する検出手段(73)とを備え、第２受光部(77b)の第２入力(Iref)が最大になるように受光手段(72)の位置を調節し該位置で発汗センサ(70)の検出手段(73)に発汗状態を検出させる位置調節手段(36)を備えていることとしたものである。
【００１４】
本発明が講じた第６解決手段は、空気調和装置(2) と、除湿装置(4) と、該空気調和装置(2) 及び除湿装置(4) の運転を制御する制御手段(12)とを備えた空気調和システムであって、人の発汗状態を検出する発汗センサ(70b)を備え、上記制御手段(12)は、発汗センサ(70b)により検出した発汗状態が所定状態を越えていると空気調和装置(2) を運転して除湿装置(4) を停止し、所定状態に達していないと空気調和装置(2) を停止して除湿装置(4) を運転するように構成されていることとしたものである。
【００１５】
本発明が講じた第７の解決手段は、空気調和装置(2) と、除湿装置(4) と、該空気調和装置(2) 及び除湿装置(4) の運転を制御する制御手段(12)とを備えた空気調和システムであって、人の発汗状態を検出する発汗センサ(70b)を備え、上記制御手段(12)は、発汗センサ(70b)により検出した発汗状態が第１の所定状態を越えていると空気調和装置(2) を運転して除湿装置(4) を停止し、第１の所定状態とそれよりも小さな第２の所定状態の間で空気調和装置(2) を停止して除湿装置(4) を運転し、第２の所定状態に達していないと空気調和装置(2) 及び除湿装置(4) を停止するように構成されていることとしたものである。
【００１６】
本発明が講じた第８の解決手段は、少なくとも冷房運転が可能に構成された空気調和装置(2)と、人の発汗状態を検出する発汗センサ(70b)と、該発汗センサ(70b)により検出した発汗状態が所定状態を越えていると該空気調和装置(2)に冷房運転を実行させる一方、所定状態に達していないと該冷房運転を停止させる制御手段(12)とを備えていることとしたものである。
【００１７】
本発明が講じた第９の解決手段は、少なくとも冷房運転と除湿運転とが可能に構成された空気調和装置(2)と、人の発汗状態を検出する発汗センサ(70b)と、該発汗センサ(70b)により検出した発汗状態が所定状態を越えていると該空気調和装置(2)に冷房運転を実行させる一方、所定状態に達していないと該空気調和装置(2)に除湿運転を実行させる制御手段(12)とを備えていることとしたものである。
【００１８】
本発明が講じた第１０の解決手段は、少なくとも冷房運転と除湿運転とが可能に構成された空気調和装置(2)と、人の発汗状態を検出する発汗センサ(70b)と、該発汗センサ(70b)により検出した発汗状態が第１の所定状態を越えていると該空気調和装置(2)に冷房運転を実行させ、該発汗状態が第１の所定状態とそれよりも小さな第２の所定状態との間にあると該空気調和装置(2)に除湿運転を実行させ、該発汗状態が第２の所定状態に達していないと該空気調和装置(2)の運転を停止させる制御手段(12)とを備えていることとしたものである。
【００１９】
そして、本発明が講じた第６〜第１０の解決手段は、さらに、発汗センサ(70b)が、人体(25)に照射された光のうち該人体(25)に反射された反射光(L2)を受ける受光手段(77)と、水分に吸収されやすい第１の所定波長域の光のみを透過させる第１透過フィルタ(75)と、水分に吸収されにくい第２の所定波長域の光を透過させる第２透過フィルタ(76)と、人体(25)からの反射光を該第１透過フィルタ(75)及び該第２透過フィルタ(76)に交互に透過させて該受光手段(77)に供給するフィルタ切替手段(79)と、該第１透過フィルタ(75)を透過して該受光手段(77)に入力された第１入力(Iaq)と、該第２透過フィルタ(76)を透過して該受光手段(77)に入力された第２入力(Iref)との比率(P)に基づいて発汗状態を検出する検出手段(73)とを備え、第２透過フィルタ(76)を透過して受光手段(77)に入力された第２入力(Iref)が最大になるように受光手段(77)の位置を調節し該位置で発汗センサ(70b)の検出手段(73)に発汗状態を検出させる位置調節手段(36)を備えていることとしたものである。
【００２０】
本発明が講じた第１１の解決手段は、前記第１〜第１０のいずれか一つの解決手段において、水分に吸収されやすい第１の所定波長域は、１μｍ〜２μｍの波長域に設定されていることとしたものである。
【００２１】
−作用−
前記第３及び第８の解決手段では、発汗センサ(70,70b)により人の発汗状態を検出し、その発汗状態が所定状態を越えていると冷房運転が行われる一方、発汗状態が所定状態に達していないと冷房運転が停止する。つまり、人が暑いと感じているときに室内が冷房され、暑いと感じていないときは運転が停止する。
【００２２】
前記第１、第４、第６及び第９の解決手段では、発汗センサ(70,70b)により人の発汗状態を検出し、その発汗状態が所定状態を越えていると冷房運転が行われる一方、発汗状態が所定状態に達していないと除湿運転が行われる。つまり、人が暑いと感じているときに室内が冷房され、暑いと感じていないときは室内が除湿される。
【００２３】
また、前記第２、第５、第７及び第１０の解決手段では、発汗センサ(70,70b)により人の発汗状態を検出し、その発汗状態が第１の所定状態を越えていると冷房運転を行う。一方、発汗状態が第１の所定状態とそれよりも小さな第２の所定状態の間では除湿運転を行い、第２の所定状態に達していないと冷房と除湿のいずれの運転も停止する。つまり、汗の量が多ければ室内を冷房するが、汗の量がそれよりも少ないと除湿に切り換え、さらに汗の量が少なくなると運転を停止する。
【００２４】
さらに、前記第１〜第５の解決手段では、人体(25)からの反射光(L2)のうち、水分に吸収されやすい波長の光(L21)は、発汗検出用の光（検出光）として第１受光部(77a)に入力され、水分に吸収されにくい波長の光(L22)は、人体(25)の位置や姿勢の変動を認識するための参照光として第２受光部(77b)に入力される。そして、検出手段(73)は、上記検出光(L21)の入力（第１入力(Iaq)）と、参照光(L22)の入力（第２入力(Iref)）との比率(P)を演算し、当該比率(P)に基づいて発汗状態を検出する。ここで、人体(25)の位置や姿勢が変動すると、反射光(L2)全体の入力が変動するため検出光(L21)自体の入力(Iaq)も変動することになるが、それに応じて参照光(L22)の入力(Iref)も変動するので、上記比率(P)は変化しない。そのため、上記比率(P)は、発汗の有無のみによって変化することになる。
【００２５】
さらに、前記第６〜第１０の解決手段では、第１透過フィルタ(75)と第２透過フィルタ(76)とを交互に切り替えることにより、反射光(L2)に含まれる水分に吸収されやすい波長の光(L21)と水分に吸収されにくい波長の光(L22)とが受光手段(77)に適宜入力され、水分に吸収されやすい波長の光(L21)の入力(Iaq)と、水分に吸収されにくい波長の光(L22)の入力(Iref)との比率(P)に基づいて、前記第１０及び第２２の解決手段と同様に、発汗状態が検出される。
【００２６】
さらに、前記第１〜第１０の解決手段では、位置調節手段(36)によって、参照光(L22)の入力(Iref)が最大になるように受光手段(72)の位置が調節される。
【００２７】
前記第１１の解決手段では、水分に吸収されやすい第１の所定波長域として１〜２μｍの波長域が設定されているので、発汗を検出するために特に好適な波長の光が有効に利用されることになる。なお、水分に吸収されやすい波長域として更に範囲を絞った波長域、例えば１．４５μｍまたは１．９４μｍの近傍の波長域の光を利用するようにしてもよい。このような波長域として、１．３μｍ〜１．６μｍの波長域を用いてもよく、１．７９μｍ〜２．０９μｍの波長域を用いてもよい。
【００２８】
【発明の効果】
従って、上記解決手段によれば、人の生理的な変化に対応した運転が可能となり、ユーザの快適性を高め、健康状態を維持するのに寄与できる。また、発汗状態に応じて冷房運転と停止とを切り換えるようにしたことで、室内の冷やしすぎを防止でき、省エネ性を高めることもできる。
【００２９】
特に、上記第１、第４、第６及び第９の解決手段によれば、発汗状態に応じて冷房運転と除湿運転とを切り換えるようにしているので、例えば梅雨の時期などのようにあまり暑くなくて湿度が高いときに、人の生理状態に応じた快適な運転を行うことができる。
【００３０】
また、上記第２、第５、第７及び第１０の解決手段によれば、冷房運転、除湿運転、及び運転停止を発汗状態に応じて切り換えるようにしているので、より細やかな運転制御を行うことが可能となる。
【００３１】
さらに、第１〜第５の解決手段によれば、水分に吸収されやすい光の入力と水分に吸収されにくい光の入力との比率に基づいて発汗検出を行うこととしたので、人体の位置や姿勢の変動に影響されずに発汗状態を検出することができる。
【００３２】
さらに、第６〜第１０の解決手段によれば、第１透過フィルタと第２透過フィルタとを交互に切り替えることにより、反射光に含まれる水分に吸収されやすい波長の光と水分に吸収されにくい波長の光とを、受光手段に交互に入力することとしたので、人体の位置や姿勢の変動に影響されずに発汗状態を検出する際に、受光手段の個数を低減することができる。
【００３３】
さらに、第１〜第１０の解決手段によれば、参照光の入力が最大になるように受光手段の位置を調節することとしたので、受光手段を常に反射光を入力しやすい位置に設定することができ、発汗検出の精度を向上させることができる。
【００３４】
第１１の解決手段によれば、水分に吸収されやすい波長の光として１μｍ〜２μｍの波長域の光を利用することとしたので、発汗検出の精度が向上する。
【００３５】
〈発明の参考の形態１〉
以下、本発明の参考形態１を図面に基づいて詳細に説明する。
【００３６】
−機器構成−
図１は、本参考形態１に係る空気調和装置を設置した室内を示す斜視図であり、(1) はコントローラ、(2) は少なくとも冷房運転の可能な空気調和装置（室内機）、(3) は照明装置、(4) はテレビやラジオ等のオーディオ機器、(5) は人の発汗状態を検出する発汗センサである。図示するように、本参考形態１では、１台のコントローラ(1) で、空気調和装置(2) 、照明装置(3) 、オーディオ機器(4) を操作できるようになっている。つまり、コントローラ(1) は、空気調和装置(2) の制御手段であると同時に、照明装置(3) やオーディオ機器(4) の制御手段としても使用できる。なお、図では、ユーザが発汗センサ(5) を就寝時に装着している状態を示している。
【００３７】
発汗センサ(5) は、ユーザの発汗量を検出するためのセンサであり、人体の生理量を検出する生理量センサの一種である。図２に示すように、発汗センサ(5) は、感湿部(51)、ＣＰＵ(54)、送信部(55)及び電源部(57)を備えている。感湿部(51)は、人体近傍の湿度を検出するとともに当該検出湿度を電圧信号に変換してＣＰＵ(54)に送信する部分であり、複数の通気孔(31)が形成された筐体(52)の内部に湿度センサ(53)が配設されて構成されている。送信部(55)は、感湿部(51)の検出情報をコントローラ(1) に送信する部分であり、検出情報を無線で送信するためのアンテナ(56)を備えている。ＣＰＵ(54)は、感湿部(51)及び送信部(55)を制御する制御部であり、感湿部(51)からの検出情報を適宜補正等して、送信部(55)に送信するものである。電源部(57)は、感湿部(51)、ＣＰＵ(54)及び送信部(55)を駆動するための電力供給部であり、電源としていわゆるボタン型の電池(58)が設けられている。
【００３８】
これら感湿部(51)、ＣＰＵ(54)、送信部(55)及び電源部(57)は、それぞれ別体となっており、互いに信号線(59)によって接続されている。これにより、発汗センサ(5) は、全体として容易にたわみやすくなっており、柔軟性が向上している。また、これらセンサ本体(50)、すなわち感湿部(51)、ＣＰＵ(54)、送信部(55)、電源部(57)、及び信号線(59)は、人体への直接接触による不快感を防止するために、柔軟材料としてのシリコンゴム(60)によって覆われている。
【００３９】
シリコンゴム(60)の裏面には、柔軟な薄板状の磁石(61)が貼り付けられている。図３及び図４に示すように、発汗センサ(5) を装着する際には、磁石(61)が被服(21)に接触するようにして被服(21)の内部に発汗センサ(5) を設け、被服(21)の外側から薄板状の磁石(62)を被服(21)内部の磁石(61)に貼り合わせる。つまり、磁石(61)と磁石(62)とによって被服(21)を挟み込む。これにより、発汗センサ(5) は脱落することなく常に人体近傍に位置づけられることになる。なお、正確かつ安定して湿度を検出するために、発汗センサ(5) は胸部に設けることが好ましい。また、磁石(61,62) の一方は磁性材にしてもよい。
【００４０】
図５に示すように、コントローラ(1) は、受信部(11)と、制御部（制御手段）(12)と、送信部(13)とを備えている。受信部(11)は、発汗センサ(5) からの無線信号を受信する。制御部は、受信部(11)からの信号を受けて種々の演算を行い、その演算結果に基づく空調制御信号や、コントローラ(1) に設けられている不図示の操作ボタン等による制御信号を送信部(13)に発信する。送信部(13)は、制御部(12)からの制御信号を受けて各機器(2),(3),(4) に信号を無線で送信する。本参考形態では、赤外線信号によりリモートコントロールが可能な既存の機器をそのまま利用できるように、送信部(13)は、各機器に応じた赤外線信号を送信するように構成されている。なお、操作する機器に応じて、赤外線以外の無線信号を送信するようにしてもよい。
【００４１】
−運転制御−
次に、この空気調和装置の運転制御について、図６に示したフローチャートを参照して説明する。
【００４２】
まず、ステップST１において、発汗センサ(5) により、時間と共に変化する発汗量を検出する。図７（ａ）には、この検出結果を表しており、横軸を時間、縦軸を感湿部(51)の出力電圧としている。出力電圧は発汗量に対応しており、発汗量が多いときほど電圧が高くなっている。
【００４３】
ステップST２では、発汗センサ(5) の出力信号に基づいて、コントローラ(1) で発汗量が多いかどうかを判別する。つまり、図２のグラフにおいて、例えば２Ｖの電圧をしきい値とし、出力電圧が２Ｖよりも高いか低いかを判別する。
【００４４】
この判別の結果、出力電圧がしきい値よりも高いことから発汗量が所定量よりも多いと判断されると、ステップST３に進み、コントローラ(1) からの制御信号により空気調和装置(2) の冷房運転を開始する。つまり、発汗量が多ければユーザが暑いと感じていると判断できるので、強制的に冷房運転を行って室内温度を下げるようにしている。
【００４５】
一方、ステップST２の判別の結果、出力電圧がしきい値よりも低いことから発汗量が所定量よりも少ないと判断されると、ステップST４に進み、空気調和装置(2) の運転を停止する。つまり、発汗量が少なければユーザは暑いと感じていないと判断して、冷房運転を停止するようにしている。
【００４６】
ステップST２の判別に基づいて運転を切り換えた結果を図７（ｂ）のタイムチャートに示している。図７（ｂ）において、運転ＯＮの状態は図７（ａ）で感湿部(51)の出力電圧がしきい値よりも高い時に対応し、運転ＯＦＦの状態は図７（ａ）で感湿部(51)の出力電圧がしきい値よりも低いときに対応している。
【００４７】
ステップST３及びステップST４の動作を行うと、次にステップST１に戻って再度発汗量を検出し、ステップST２以降の動作を繰り返す。このため、空気調和装置(2) の運転と停止が自動的に切り換えられ、常に室内がユーザにとって快適な状態に保持される。
【００４８】
−参考形態１の効果−
このように、本参考形態１では、人の発汗状態を検出する発汗センサを用いて発汗状態を判定し、その発汗状態に応じて空気調和装置(2) の運転と停止を切り換えるようにしている。したがって、人体の生理的な変化に対応した空調制御を行うことが可能となり、ユーザの快適性を高めると共に、冷やしすぎを防止してユーザの健康維持を図ることが可能となる。また、空気調和装置(2) を必要以上に運転することがなくなるので、省エネ性を高めることもできる。
【００４９】
〈発明の参考の形態２〉
本発明の参考形態２は、冷房運転と除湿運転とが可能な空気調和装置(2) において、ユーザの発汗量に応じて冷房運転と除湿運転とを切り換えるようにした例である。
【００５０】
具体的な機器構成は参考形態１と同じであるので、本参考形態２では運転制御についてのみ説明する。
【００５１】
図８に、本参考形態２の運転制御のフローチャートを示している。ステップST11及びステップST12では、参考形態１のステップST１及びステップST２と同様に発汗量を検出し、その発汗量が所定量よりも多いか少ないかを判別している。
【００５２】
そして、本参考形態２においては、発汗量が多い場合はステップST13に進んで冷房運転を行う一方、発汗量が少ない場合はステップST14に進んでドライ（除湿）運転を行う。
【００５３】
これは、以下のような理由による。
【００５４】
つまり、例えば梅雨などの高湿条件では人の快適感向上のためには温度を低下させるだけでなく、湿度を下げる必要もある。冷房運転時には除湿効果もあるために湿度を低下させる効果が期待できるが、逆に発汗量が少ない状態で単に空調機の運転を停止すると、部屋の湿度は上昇する。この場合、湿気の拡散速度は空気の伝熱速度に比べてはるかに速く、温度以上に湿度は速く上昇する。このため、冷房運転を単に停止すると湿度がすぐに上昇し、人は皮膚のべとつきから不快感を感じる。したがって、発汗量が少ない場合であっても、除湿運転を行い、人が不快感を感じないようにしている。
【００５５】
このような制御を行えば、人体の生理的な変化に対応した空調制御を行うことからユーザの快適性を高められるうえに、冷やしすぎの防止によるユーザの健康維持をより確かにすることが可能となる。
【００５６】
なお、本参考形態２は発汗量を判別するためにしきい値を１つだけ用いた例であるが、２つのしきい値を用いるようにしてもよい。つまり、第１のしきい値を上述と同様に冷房運転と除湿運転を切り換える基準にすると共に、発汗が殆ど見られないような状態に対応した第２のしきい値を設定し、この第２しきい値による判別で除湿と停止を切り換えるようにしてもよい。
【００５７】
このようにすれば、殆ど汗をかいていない状態になって初めて運転を停止することになるので、運転を停止してもすぐに肌がべとつくことはないうえに、停止に伴って汗をかき始めても除湿運転を再開して発汗が収まれば冷房運転には移行しないので、冷やしすぎのおそれをより少なくすることが可能となる。
【００５８】
〈発明の参考の形態３〉
本発明の参考形態３は、空気調和装置と除湿装置とを室内に別々に設置した空気調和システムにおいて、空気調和装置の運転と停止並びに除湿装置の運転と停止を人の発汗量に応じて切り換えるようにしたものである。
【００５９】
つまり、本参考形態３は、図１において、(2) を冷房運転の可能な空気調和装置（室内機）、(4) をオーディオ装置でなく除湿装置とし、これらの運転を発汗状態に応じて切り換えるようにしたものと考えるとよい。
【００６０】
本参考形態３での運転制御のフローチャートを図９に示している。ステップST21及びステップST22では、発汗量の検出と、その発汗量が多いか少ないかの判別を上記各参考形態と同様にして行っている。そして、発汗量が多い場合は、ステップST23で空調機(2) の運転を開始し、ステップST24で除湿機(4) の運転を停止した後、ステップST21に戻る。つまり、この場合にはユーザが暑いと感じているので、空気調和装置(2) で室温を下げると共に冷房運転による除湿効果も得られるようにしている。
【００６１】
一方、ステップST22での判別の結果、発汗量が少ないと判断すると、ステップST25において空調機(2) の冷房運転を停止し、ステップST26において除湿機(4)  の運転を開始する。これは、参考形態２において除湿運転を行うのと同じ理由による。
【００６２】
本参考形態３においても、人体の生理的な変化に対応した空調制御を行うことからユーザの快適性を高めると共に、冷やしすぎを防止してユーザの健康維持を図ることができる。
【００６３】
また、本参考形態の場合も、２つのしきい値を用いて、ユーザが汗を殆どかいていない状況では空調機(2) と除湿機(4) の両方を停止するように制御してもよい。そうすれば、省エネ性を高められると同時に、冷やしすぎのおそれをより少なくすることが可能となる。
【００６４】
〈発明の参考の形態４〉
参考形態４は、被服に装着する発汗センサ(5)に代えて、非接触式の発汗センサ(40)を用いたものである。
【００６５】
図１０に示すように、本参考形態に係る発汗センサ(40)は、水分に吸収される割合の高い波長域（例えば１μｍ〜２μｍ）の赤外線を含んだ照射光(L1)を人体(25)に照射する発光部(41)と、照射光(L1)のうち人体(25)に反射された反射光(L2)を受ける受光部(42)と、検出部(47)とを備えており、反射光(L2)のスペクトルに基づいて発汗状態を検出するものである。受光部(42)は、反射光(L2)を集光する集光レンズ(43)と、水分に吸収されやすい所定波長域の光のみを透過させる透過フィルタ(44)と、透過フィルタ(44)を透過した光を受光する受光素子(45)とを備えている。
【００６６】
まず、本発汗センサ(40)の検出原理を説明する。図１１は、光の波長と水分の吸光度との関係を示している。図１１より明らかなように、光の波長域には、水分に吸収されやすい波長域（以下、吸収波長域という）と、水分に吸収されにくい波長域（以下、非吸収波長域という）とが存在する。例えば、吸光度が０．３以上となる波長域を吸収波長域とし、吸光度が０．３よりも小さくなる波長域を非吸収波長域とすると、光は約１．３９μｍ〜１．５１μｍ及び約１．８５μｍ〜２．０３μｍの２つの吸収波長域を有することになる。つまり、光は１．４５μｍ近傍の吸収波長域と、１．９４μｍ近傍の吸収波長域とを有することになる。そこで、このような吸収波長域の光を含んだ照射光(L1)を人体(25)に照射し、その反射光(L2)の波長分布を調べると、発汗が生じていない場合には反射光(L2)の中に吸収波長域の光も通常通り含まれることになるが、発汗が生じている場合には、吸収波長域の光は汗に吸収されるので、反射光(L2)の中に含まれる吸収波長域の光は減少することになる。従って、分光分析によって反射光(L2)の波長分布を検知し、吸収波長域の受光量に基づいて人体(25)の発汗状態を検出することができる。なお、非吸収波長域の光としては、１μｍよりも短い波長や２μｍよりも長い波長の光を利用することも勿論可能であるが、熱輻射の影響を避けるためには８μｍよりも短い波長の光が好ましく、非吸収波長域も１〜２μｍの波長域の中で設定するようにしてもよい。つまり、吸収波長域及び非吸収波長域の双方を１〜２μｍの波長域の中から設定するようにしてもよい。
【００６７】
次に、本発汗センサ(40)の動作について説明する。まず、発光部(41)から就寝中の人(25)に対して、連続的または間欠的に照射光(L1)が照射される。発汗が生じている場合には、この照射光(L1)に含まれる光のうち吸収波長域の光は吸収される一方、非吸収波長域の光は反射され、反射光(L2)となって受光部(42)に入力される。一方、発汗が生じていない場合には、吸収波長域の光も非吸収波長域の光とともに反射光(L2)となって受光部(42)に入力される。受光部(42)においては、反射光(L2)は集光レンズ(43)によって集光され、透過フィルタ(44)によって非吸収波長域の光が取り除かれてから、受光素子(45)に供給される。そして、検出部(47)は、受光素子(45)に入力された光の波長分布を検出し、吸収波長域の光が通常通り含まれている場合には発汗が生じていない旨の非発汗信号を送信し、逆に、吸収波長域の光が含まれていない場合または少ない場合には、発汗が生じている旨の発汗信号を送信する。
【００６８】
以上のように、本参考形態によれば、ユーザの体に直接接触することなく発汗を検出する非接触式の発汗センサ(40)を用いることとしたので、ユーザの装着違和感がなくなり、快適性が更に向上する。
【００６９】
−変形例−
なお、発汗センサ(40)は、コントローラ(1)と一体に形成してもよい（図１参照）。
【００７０】
図１２に示すように、反射光(L2)を集光する前に、反射光(L2)に含まれる非吸収波長域の光を透過フィルタ(44)で取り除き、吸収波長域の光のみを集光するようにしてもよい。
【００７１】
また、図１３に示すように、発光部(41)からの照射光(L1)を人体に照射する前に透過フィルタ(44)に通すようにしてもよい。つまり、照射光(L1)に含まれる非吸収波長域の光を透過フィルタ(44)によって取り除き、吸収波長域の光のみを照射するようにしてもよい。
【００７２】
図１４に示すように、室内の既設の照明機器が吸収波長域を含む光を照射する光源、例えば白熱灯(3)や電気スタンド(6)等である場合には、発汗センサ(40)の発光部(41)を省略することも可能である。つまり、既設の光源(3,6)を発汗センサ(40)の発光部としてそのまま利用するようにしてもよい。
【００７３】
また、図１５に示すように、発汗センサ(40)の発光部(41)を、赤外光とともに可視光をも照射する電気スタンドによって形成し、図１６に示すように、就寝時には可視光を遮断するフィルタ(48)によって照射光から可視光成分を取り除くようにしてもよい。これにより、就寝時には赤外光のみが照射されることになり、ユーザに快適な睡眠環境を提供することができる。
【００７４】
〈発明の参考の形態５〉
就寝中の人の位置や姿勢は一定ではなく、寝返り等の体動により変動を伴うものである。従って、反射光(L2)の強度には若干の変動が生じる。そのため、発汗の検出精度を高めるためには、体動に伴う反射光(L2)の変動に対応した検出方法が望まれる。参考形態５は、非吸収波長域の光を人の姿勢や位置を参照するための参照信号として利用することにより、就寝者の姿勢変動及び位置変動に高度に対応するようにしたものである。
【００７５】
図１７に示すように、参考形態５に係る発汗センサ(70)は、吸収波長域及び非吸収波長域の双方の光を含んだ照射光(L1)を照射する発光部(71)と、反射光(L2)を受ける主受光部(72a)及び参照用受光部(72b)からなる受光部(72)と、検出部(73)とを備えている。
【００７６】
主受光部(72a)は、参考形態４の受光部(42)と同様、集光レンズ(74a)、吸収波長域の光のみを透過させる検出光透過フィルタ(75)、及び受光素子(77a)を備えている。一方、参照用受光部(72b)は、集光レンズ(74b)、非吸収波長域の光のみを透過させる参照光透過フィルタ(76)、及び受光素子(77b)を備えている。
【００７７】
検出部(73)は、主受光部(72a)及び参照用受光部(72b)の双方に接続され、それらの受光素子(77a),(77b)からの信号を受け、以下のような発汗検出を行うように構成されている。
【００７８】
図１８を参照しながら、本参考形態に係る発汗検出原理を説明する。発光部(71)から人体(25)に対して照射光(L1)が照射されると、その照射光(L1)の一部が反射光(L2)となって主受光部(72a)及び参照用受光部(72b)に入力される。主受光部(72a)に入力された反射光(L2)に含まれる吸収波長域の光、つまり検出光(L21)は、検出光透過フィルタ(75)を透過し、受光素子(77a)に入力される。一方、参照用受光部(72b)に入力された反射光(L2)に含まれる非吸収波長域の光、つまり参照光(L22)は、参照光透過フィルタ(76)を透過し、受光素子(77b)に入力される。
【００７９】
ここで、人体(25)の姿勢や位置が変動すると、発汗の有無に関わりなく、その変動に応じて検出光(L21)の照度Ｉaq及び参照光(L22)の照度Ｉrefは共に変化する。しかし、発汗状態に変化がなければ、これら検出光(L21)及び参照光(L22)の照度の比Ｐ＝Ｉaq／Ｉrefは一定である。つまり、検出光(L21)と参照光(L22)の照度の比Ｐは、人体(25)の姿勢や位置の変動に影響されないパラメータである。そこで、本発汗センサ(70)は、発汗の有無によってのみ変化するパラメータとして、検出光(L21)と参照光(L22)との照度の比Ｐ＝Ｉaq／Ｉrefに基づいて発汗状態を検出することとしている。具体的には、本発汗センサ(70)では、上記照度比Ｐが所定値以下であれば発汗があると判断し、上記照度比Ｐが所定値よりも大きければ発汗はないと判断する。
【００８０】
従って、本参考形態によれば、人体(25)の姿勢変動や位置変動があっても発汗状態を安定して検出することができるので、発汗検出の高精度化を図ることができる。
【００８１】
−変形例−
受光素子の個数を少なくするために、図１９及び図２０に示すように、吸収波長域の光のみを透過させる検出光透過フィルタ(75)と、非吸収波長域の光のみを透過させる参照光透過フィルタ(76)とを交互に切り替え、上記照度比Ｐに基づいて発汗検出を行うようにしてもよい。この発汗センサ(70b)は、集光レンズ(74)と受光素子(77)との間にフィルタ切替部(79)を備えている。フィルタ切替部(79)は、回転軸(78)を備えた回転円板に検出光透過フィルタ(75)と参照光透過フィルタ(76)とが設けられて構成されている。本変形例では、検出光透過フィルタ(75)によって選択透過された吸収波長域の光を受光する受光素子と、参照光透過フィルタ(75)によって選択透過された非吸収波長域の光を受光する受光素子とを別々に設ける必要がなく、受光素子(77)は一つで足りるので、装置のコストを安価にすることができる。
【００８２】
〈発明の参考の形態６〉
参考形態６は、発汗センサ(40)の発光部(41)の照射方向及び受光部(42)の受光方向を、人(25)の存在位置の方向に常に合わせるようにしたものである。
【００８３】
図２１に示すように、本参考形態では、発汗センサ(40)は人の存在位置を検知する人検知センサ(35)とともに筐体(39)に収容されている。筐体(39)の底部には駆動軸(38)が固定されており、駆動軸(38)にはモータ(37)が接続されている。なお、モータ(37)は支持台(34)に収容されている。これにより、筐体(39)はモータ(37)の駆動により回動自在になっている。制御部(36)は、人検知センサ(35)の信号に基づき、発汗センサ(40)の発光部(41)及び受光部(42)が人(25)に対向するように、モータ(37)を駆動して筐体(39)の向きを調節するように構成されている。なお、人検知センサ(35)としては、赤外線センサ等を好適に用いることができる。例えば波長が８μｍ〜１５μｍの赤外光を利用することとすれば、発汗検出用の赤外光との干渉を避けることができ、特に好適である。
【００８４】
以上の構成により、本参考形態では、図２２に示すように、人(25)が右側に移動すると筐体(39)は右側を向くように回動し、人(25)が左側に移動すると筐体(39)は左側を向くように回動する。従って、人(25)の位置変動が大きい場合であっても、発汗状態を安定的且つ高精度に検出することができる。
【００８５】
〈発明の実施の形態〉
本実施形態は、上記参考形態６における人検知センサ(35)に代えて、参考形態５の発汗センサ(70),(70b)の参照光(L22)を人検知のための信号として利用するようにしたものである。つまり、上記参考形態において、人検知センサ(35)を削除するとともに発汗センサ(40)を参考形態５の発汗センサ(70)または(70b)に代え、参照光(L22)の入力Ｉrefが最大となるように筐体(39)の向きを調節するようにしたものである。例えば、人体(25)を検索するために筐体(39)を一回転させ、参照光(L22)の入力Ｉrefが最大となった向きに筐体(39)を方向付ける。また、筐体(39)を広範囲に回動させ、その範囲内で上記入力Ｉrefが最大となった向きに筐体(39)を方向付けるようにしてもよい。
【図面の簡単な説明】
【図１】  本発明の参考形態１に係る空気調和装置を設置した室内を示す概略斜視図である。
【図２】  発汗センサの構成を示す断面図である。
【図３】  発汗センサの取り付け方法を示す説明図である。
【図４】  ユーザが発汗センサを装着した状態を示す図である。
【図５】  図１の室内の機器制御関係を示すブロック図である。
【図６】  参考形態１に係る空気調和装置の運転制御を示すフローチャートである。
【図７】  （ａ）図は発汗センサによる発汗量の検出結果を示すグラフ、（ｂ）図は冷房運転のＯＮとＯＦＦの切換結果を示すタイムチャートである。
【図８】  参考形態２に係る空気調和装置の運転制御を示すフローチャートである。
【図９】  参考形態３に係る空気調和システムの運転制御を示すフローチャートである。
【図１０】  参考形態４に係る発汗センサの構成図である。
【図１１】  光の波長と水の吸光度との関係を示す図である。
【図１２】  参考形態４の変形例に係る発汗センサの構成図である。
【図１３】  参考形態４の他の変形例に係る発汗センサの構成図である。
【図１４】  実施形態４の他の変形例に係る図１相当図である。
【図１５】  参考形態４の他の変形例に係る図１相当図である。
【図１６】  参考形態４の他の変形例に係る発汗センサの構成図である。
【図１７】  参考形態５に係る発汗センサの構成図である。
【図１８】  参考形態５における発汗検出の原理を説明するための模式図である。
【図１９】  参考形態５の変形例に係る発汗センサの構成図である。
【図２０】  フィルタ切替部の正面図である。
【図２１】  参考形態６に係る発汗センサの構成図である。
【図２２】  参考形態６における発汗検出の状態を説明するための模式図である。
【符号の説明】
(1)   コントローラ
(2)   空気調和装置
(3)   照明装置
(4)   オーディオ機器
(5)   発汗センサ
(12)  制御部（制御手段）
(51)  感湿部
(52)  筐体
(53)  湿度センサ
(54)  ＣＰＵ
(55)  送信部
(57)  電源部
(60)  シリコンゴム
(61)  磁石
【図１】
0004379994.tif 000002
【図２】
0004379994.tif 000003
【図３】
0004379994.tif 000004
【図４】
0004379994.tif 000005
【図５】
0004379994.tif 000006
【図６】
0004379994.tif 000007
【図７】
0004379994.tif 000008
【図８】
0004379994.tif 000009
【図９】
0004379994.tif 000010
【図１０】
0004379994.tif 000011
【図１１】
0004379994.tif 000012
【図１２】
0004379994.tif 000013
【図１３】
0004379994.tif 000014
【図１４】
0004379994.tif 000015
【図１５】
0004379994.tif 000016
【図１６】
0004379994.tif 000017
【図１７】
0004379994.tif 000018
【図１８】
0004379994.tif 000019
【図１９】
0004379994.tif 000020
【図２０】
0004379994.tif 000021
【図２１】
0004379994.tif 000022
【図２２】
0004379994.tif 000023